(57)【要約】【課題】  進行方向にある段差を容易に乗り越えることができると共に方向転換も楽に行うことができる介助椅子を提供する。【解決手段】  ベース２における座部６にかかる重量の中心の前後に、ベース２が前後方向にのみ移動するよう回転する前輪８，８及び後輪９，９を取り付ける。また、ベース２の後輪９，９より後方側であって、かつ後輪より高い位置に、車軸が水平方向に回転自在な補助キャスター１０を取り付ける。更にベース２の後端部に、足で踏み込んで押し下げ足踏部１１を固着する。【選択図】図３
2006305116.tif 000002
【特許請求の範囲】
【請求項１】
下部に前輪と後輪を備えたベースに起伏可能に支持脚を設け、この支持脚の上部に座部を取り付けると共に、支持脚の起伏手段によって上記座部を昇降可能とした介助椅子において、
上記前輪はベースの前部に取り付け、後輪は座部にかかる重量の中心付近に取り付けると共に、前記後輪より後方位置に、水平方向に回転自在な補助キャスターを、通常の走行状態では床面に接触しないように取り付け、更にベースの後端部に、足で踏んで押し下げる足踏部を形成したことを特徴とする介助椅子。
【請求項２】
上記前輪と後輪を、ベースが前後方向にのみ移動するよう回転する車輪とし、後輪をベースにおける座部にかかる重量の中心より後方位置に取り付けてなる請求項１記載の介助椅子。
【請求項３】
上記足踏部が、棒状体を平面略コ字形とし、その表面をゴム、スポンジ等の滑り止め部材で被覆してなる足踏部である請求項１又は２記載の介助椅子。
【発明の詳細な説明】
【技術分野】
【０００１】
本発明は、膝の屈伸を補助し、足を伸ばして床面に座った状態から腰を浮かせて膝を曲げた状態までを機械の力を利用して補助し、身体に機能的な障害を有する者を介助するための介助椅子に関するものである。
【背景技術】
【０００２】
膝の屈伸を補助するために機械の力を利用した介助椅子について、本発明者は長年研究してきた。そして、特許文献１に示す座椅子用昇降台は、基本的な構成としては、ベース上に起伏する支持脚及び該支持脚の起伏駆動源であるシリンダからなる適宜の昇降手段によって座椅子を昇降させるようにしたものである。
【０００３】
そして、該座椅子用昇降台には、座部に座った状態において移動することができるように、前後に前輪と後輪を取り付けている。
【特許文献１】特開２００４−１４１２４３
【発明の開示】
【発明が解決しようとする課題】
【０００４】
しかし、このような座椅子用昇降台には大きな問題点がある。それは、進行方向に段差があったときに、これを容易に乗り越えられないことである。即ち、進行方向に段差があったときには、介助者が前に回って屈み、ベースの前部を持ち上げて前輪を浮かせ、そしてその状態のまま座椅子用昇降台を引っ張って前輪を段差に乗り上げさせなければならない。したがって、きわめて面倒であり、介助者への負担が大きい。
さらに、座椅子昇降台の前部を持ち上げるときに、必要以上に大きく持ち上げると、座っている者が大きくのけ反って上下のバランスが崩れ、介助椅子が横転したり、座っている被介助者が転落するおそれがあった。
【０００５】
他の問題点は、方向転換するときに、介助者は座椅子昇降台の後部を持ち上げて後輪を床面から浮かせ、この状態において左右いずれか所要の方向にずらさなければならないことである。この作業も介助者には大きな負担となる。
【０００６】
本発明は上記の点を鑑みなされたものであって、簡単な操作でベースの前部を持ち上げることができるため、進行方向の段差を容易に乗り越えることができると共に方向転換も楽に行うことができるため、介助者の負担を大幅に軽減することができるようにした介助椅子を提供するものである。
【課題を解決するための手段】
【０００７】
本発明の要旨とするところは、下部に前輪と後輪を備えたベースに起伏可能に支持脚を設け、この支持脚の上部に座部を取り付けると共に、支持脚の起伏手段によって上記座部を昇降可能とした介助椅子において、上記前輪はベースの前部に取り付け、後輪は座部にかかる重量の中心付近に取り付けると共に、前記後輪より後方位置に、水平方向に回転自在な補助キャスターを、通常の走行状態では床面に接触しないように取り付け、更にベースの後端部に、足で踏んで押し下げる足踏部を形成したことにある。
【０００８】
上記構成において、前輪と後輪を、ベースが前後方向にのみ移動するよう回転する車輪とし、後輪をベースにおける座部にかかる重量の中心の後方位置に取り付けてもよい。
【０００９】
上記構成において、足踏部が、棒状体を平面コ字形とし、その表面をゴム、スポンジ等の滑り止め部材で被覆したものでもよい。
【発明の効果】
【００１０】
本発明は上記の如き構成であるから、介助者は被介助者の背後でベースの後端部に形成した足踏部を押し下げることによりベースの前部を持ち上げることができ、しかも必要以上の持ち上げを防ぐことができる。これにより進行方向に段差があったとき、介助者に従来のような負担をかけず、これをスムーズに、容易に乗り越えることができるのである。
また、ベースの前部を持ち上げるときには、後輪の後方に補助キャスターがあるため、これが回動ストッパーとなって必要以上の持ち上がりが阻止される。したがって、介助椅子の転倒や被介助者の転落を防ぐことができる。
また、方向転換するときには、同様に被介助者の背後において足踏部を押し下げながら左右いずれか所要の方向に押し出すだけで方向転換することができるため、介助者の負担を大幅に軽減することができるのである。
【００１１】
また、後輪を、ベースにおける座部にかかる重量の中心の後方位置に取り付けるようにした場合には、通常の走行状態では重心が後輪の前方にかかるため安定走行ができると共に、ベースの前部を持ち上げるときには介助者が足踏部を踏む力が少なくて済み、力の弱い女性の介助者でも容易にベースの前部の持ち上げと方向転換操作を行うことができる。
【００１２】
また、足踏部を、棒状体を平面コ字形とし、その表面をゴム、スポンジ等の滑り止め部材で被覆した場合には、踏む際に足を乗せる部分が広く力を入れ易い。また滑りにくいことから、特に左右側に押し出すときに確実にこれを行うことができるのである。
【発明を実施するための最良の形態】
【００１３】
本発明を実施するための最良の形態は、介助椅子のベースの下部に取り付けた前輪と後輪を、ベースが前後方向にのみ移動するよう回転する車輪とし、後輪をベースにおける座部にかかる重量の中心より後方位置で、重量の中心付近に取り付けると共に、前記後輪より後方位置に、水平方向に回転自在な補助キャスターを、通常の走行状態では床面に接触しないように取り付け、更にベースの後端部に、棒状体を平面略コ字形とし、その表面をゴム、スポンジ等の滑り止め部材で被覆してなる足踏部を形成することにある。
【００１４】
以下、本発明の実施形態について詳細に説明する。
図１は本発明の一実施形態の一部を省略した正面斜視図、図２は同背面斜視図、図３は同底面斜視図、図４は同左側面図、図５は同作用説明図である。
【００１５】
図中、１は移動用リフトである。この移動用リフト１は、ベース２上に、起伏する支持脚３及び該支持脚３の起伏駆動源である電動シリンダ４等からなる適宜の昇降手段５によって座部６を昇降可能に構成してある。
また、６ａは前記支持脚３の上端部に連結した座板であり、該座板６ａに背凭れが一体化した座布団６ｂがセットされて座部６が構成されている。また、本実施形態では、肘掛け６ｃもセットされ、これに前記電動シリンダ４のスイッチ７が設けられている。
上記移動用リフト１と座部６によって介助椅子を構成している。
【００１６】
前記ベース２の底部には、一対の前輪８と後輪９を取り付けている。このうち前輪８はベース２の先端に取り付けてあるが、後輪９は座部６に人が腰掛けた状態における、座部６にかかる重量の中心Ｓの後方に取り付けてある。
後輪９の取り付け位置は、上記の実施形態に限らず重心Ｓの上あるいはその前方でも良い。また、これら前輪８及び後輪９は、ベース２が前後方向にのみ移動するように回転するものである。尚、８ａ，９ａは前輪８及び後輪９の車軸である。
【００１７】
前記ベース２における、後輪９より後方であって、かつ後輪９より高い位置に補助キャスター１０が取り付けられている。この補助キャスター１０は、その車軸１０ａによって水平方向に３６０度回転自在であると共に、停止状態あるいは通常の走行状態では床面に接触していない。
【００１８】
前記ベース２の後端部には、足で踏んで下方に押し下げる足踏部１１が取り付けられている。また、該足踏部１１として、本実施形態では、棒状体１１ａを平面略コ字形とし、かつ該棒状体１１ａの表面をゴム、スポンジ等の滑り止め部材１１ｂで被覆したものを用いている。
この足踏部１１は上記のものに限らず、例えば、ベース２に直接、足をかけることができる凹部、あるいは凸部を構成したものでも良い。
また、ベース２の下面にはブレーキ１２を設けてあり、ベース２の上面に突出する部分１２ａを押し込むことによって制動作用を行なうのである。また、１３はベース２の後端に取り付けた車輪である。
【００１９】
次に本実施形態の作用について説明する。
先ず、段差を乗り越える場合について説明する。図４の走行状態から、段差２０の前で介助者が足踏部１１を踏むと、ベース２は後輪９を支点として前部が上方に持ち上がり、ベース２は２個の後輪と補助キャスター１０によって３点支持された状態となる。これにより後輪９を中心にして前輪８を浮かせ、この状態で後輪９及び補助キャスター１０を用いて介助椅子を前方に移動させて、段差２０に乗り上げて図５の状態にする。
また、ベース２の前部を持ち上げるとき、後輪９を座部６の重量の中心Ｓより後方位置に配置し、かつ重量の中心Ｓから後輪９までの距離Ｌ１を短くしてあるため、介助者が足踏部を押し下げる力が少なくて済むのである。
また、足踏部１１を押し下げたとき、ベース２の後端に取り付けた補助キャスター１０が床面に接触し、これが回動ストッパーとなるから、ベース２の必要以上の回動が阻止される。よって座部６に座った被介助者が大きくのけ反ることを防止することができる。
【００２０】
介助椅子を方向転換するときには、介助者は足踏部１１を押し下げながら左右いずれか所要の方向に押し出せばよく、これによりベース２は前部が持ち上がった状態で後輪９を支点として水平方向に回動し、その向きが変わるのである。尚、このとき床面に接触した補助キャスター１０は水平方向に回転自在であるから、ベース２の後部側が振れる方向に自由に回転する。したがって、ベース２の向きが変わるとき、ベース２は後輪９及び補助キャスター１０によって支持されるのである。
【図面の簡単な説明】
【００２１】
【図１】本発明の一実施形態の一部を省略した正面斜視図
【図２】本発明の一実施形態の一部を省略した背面斜視図
【図３】本発明の一実施形態の一部を省略した底面斜視図
【図４】本発明の一実施形態の一部を省略した左側面図
【図５】本発明の一実施形態の一部を省略した作用説明図
【符号の説明】
【００２２】
１  移動用リフト
２  ベース
３  支持脚
４  電動シリンダ
５  座部の昇降手段
６  座部
６ａ  座板
８  前輪
９  後輪
１０  補助キャスター
１１  足踏部
２０  段差
【図１】
2006305116.tif 000003
【図２】
2006305116.tif 000004
【図３】
2006305116.tif 000005
【図４】
2006305116.tif 000006
【図５】
2006305116.tif 000007